Podtech/llm-jp-corpus-v4-ja_patent huggingface dataset:
【手続補正書】
【提出日】平成30年6月21日(2018.6.21)
【手続補正１】
【補正対象書類名】特許請求の範囲
【補正対象項目名】全文
【補正方法】変更
【補正の内容】
【特許請求の範囲】
【請求項１】
図柄始動条件の成立に基づいて乱数情報を抽出する乱数抽出手段と、
前記乱数情報に基づいて変動する複数の識別情報を含む複数の画像を表示可能な画像表示手段と、
前記画像表示手段による画像表示を制御する画像表示制御手段と、
変動後の前記複数の識別情報が予め定められた特定の表示結果となった場合に遊技者に有利な利益状態を発生させる利益状態発生手段と、
前記乱数抽出手段により抽出された前記乱数情報を前記識別情報の変動に用いられるまで所定の上限保留記憶数の範囲内で保留記憶する保留記憶手段と
前記画像表示手段の周辺の明度を制御するための明度制御手段と
を備えた遊技機において、
前記画像表示制御手段は、前記複数の画像を優先順位に従って重畳して前記画像表示手段に表示可能であり、
前記複数の画像は、特定画像と、該特定画像よりも低い優先順位に設定された非特定画像と、前記特定画像よりも低く前記非特定画像よりも高い優先順位に設定され且つ前記非特定画像の視認性を抑制する視認性抑制画像とを含み、
前記画像表示制御手段は、前記非特定画像に前記視認性抑制画像が重畳し且つ前記視認性抑制画像に前記特定画像が重畳するように前記複数の画像を制御可能であり、
前記視認性抑制画像は均一の透過率に設定され、
前記明度制御手段による明度の変化前における前記特定画像は、前記識別情報と前記保留記憶手段による前記乱数情報の保留記憶数を示す保留表示画像とを含むが、
前記明度制御手段による明度の変化後における前記特定画像は、前記識別情報を含むが前記保留表示画像は含まない
ことを特徴とする遊技機。
【請求項２】
前記非特定画像は通常演出画像を含み、
前記特定画像は、前記通常演出画像を拡大した拡大演出画像を含む
ことを特徴とする請求項１に記載の遊技機。
【請求項３】
前記拡大演出画像を前記通常演出画像に対してずらして表示する
ことを特徴とする請求項１又は２に記載の遊技機。
【請求項４】
前記拡大演出画像を前記通常演出画像に一部重なるように表示する
ことを特徴とする請求項３に記載の遊技機。
【請求項５】
前記拡大演出画像を前記通常演出画像に重ならないように表示する
ことを特徴とする請求項３に記載の遊技機。
【手続補正２】
【補正対象書類名】明細書
【補正対象項目名】０００５
【補正方法】変更
【補正の内容】
【０００５】
本発明は、図柄始動条件の成立に基づいて乱数情報を抽出する乱数抽出手段と、前記乱数情報に基づいて変動する複数の識別情報を含む複数の画像を表示可能な画像表示手段（例えば、液晶表示手段２１）と、前記画像表示手段による画像表示を制御する画像表示制御手段（例えば、演出制御基板３２）と、変動後の前記複数の識別情報が予め定められた特定の表示結果となった場合に遊技者に有利な利益状態を発生させる利益状態発生手段と、前記乱数抽出手段により抽出された前記乱数情報を前記識別情報の変動に用いられるまで所定の上限保留記憶数の範囲内で保留記憶する保留記憶手段と、前記画像表示手段の周辺の明度を制御するための明度制御手段とを備えた遊技機において、前記画像表示制御手段は、前記複数の画像を優先順位に従って重畳して前記画像表示手段に表示可能であり（例えば、図３、図５、図６、図１５のＳ８１０〜Ｓ８１４、Ｓ８２０〜Ｓ８２２、Ｓ８２６、Ｓ８２、Ｓ８３０〜Ｓ８３３、図１９）、前記複数の画像は、特定画像と、該特定画像よりも低い優先順位に設定された非特定画像と、前記特定画像よりも低く前記非特定画像よりも高い優先順位に設定され且つ前記非特定画像の視認性を抑制する視認性抑制画像とを含み、前記画像表示制御手段は、前記非特定画像に前記視認性抑制画像が重畳し且つ前記視認性抑制画像に前記特定画像が重畳するように前記複数の画像を制御可能であり、前記視認性抑制画像は均一の透過率に設定され、前記明度制御手段による明度の変化前における前記特定画像は、前記識別情報と前記保留記憶手段による前記乱数情報の保留記憶数を示す保留表示画像とを含むが、前記明度制御手段による明度の変化後における前記特定画像は、前記識別情報を含むが前記保留表示画像は含まないことを特徴とする。
また、前記非特定画像は通常演出画像を含み、前記特定画像は、前記通常演出画像を拡大した拡大演出画像を含むものとしてもよい。
また、前記拡大演出画像を前記通常演出画像に対してずらして表示してもよい。この場合、前記拡大演出画像を前記通常演出画像に一部重なるように表示してもよいし、前記拡大演出画像を前記通常演出画像に重ならないように表示してもよい。
【手続補正書】
【提出日】平成30年6月21日(2018.6.21)
【手続補正１】
【補正対象書類名】特許請求の範囲
【補正対象項目名】全文
【補正方法】変更
【補正の内容】
【特許請求の範囲】
【請求項１】
変動する複数の識別情報を含む複数の画像を表示可能な画像表示手段と、
前記画像表示手段による画像表示を制御する画像表示制御手段と、
変動後の前記複数の識別情報が予め定められた特定の表示結果となった場合に遊技者に有利な利益状態を発生させる利益状態発生手段と
を備えた遊技機において、
前記画像表示制御手段は、前記複数の画像を優先順位に従って重畳して前記画像表示手段に表示可能であり、
前記複数の画像は、遊技者に対する誘導画像を含む特定画像と、該特定画像よりも低い優先順位に設定され且つ変動表示を停止した状態の前記識別情報を示す変動後識別情報画像を含む非特定画像と、前記特定画像よりも低く前記非特定画像よりも高い優先順位に設定され且つ前記非特定画像の視認性を抑制する視認性抑制画像とを含み、
前記画像表示制御手段は、前記非特定画像に前記視認性抑制画像が重畳し且つ前記視認性抑制画像に前記特定画像が重畳するように前記複数の画像を制御可能であり、
前記視認性抑制画像は均一の透過率に設定され、
前記誘導画像は、遊技球を遊技領域に向けて発射する発射手段に対する発射操作を誘導する発射誘導画像を含み、
前記画像表示制御手段は、１又は複数の前記識別情報が変動表示を停止した状態で表示されているとき、前記発射誘導画像も表示されるように制御する
ことを特徴とする遊技機。
【請求項２】
前記非特定画像は所定演出画像を含み、
前記画像表示制御手段により、前記特定画像と、前記非特定画像と、前記視認性抑制画像とを表示した第１表示状態から、少なくとも前記所定演出画像を引き続き表示し且つ前記視認性抑制画像を表示しない第２表示状態に移行可能とした
ことを特徴とする請求項１に記載の遊技機。
【請求項３】
前記所定演出画像は、前記第１表示状態から前記第２表示状態にかけて連続性を有する
ことを特徴とする請求項１又は２に記載の遊技機。
【請求項４】
前記第１表示状態では、前記特定画像は所定演出の出現を予告する予告画像を含む
ことを特徴とする請求項１〜３の何れかに記載の遊技機。
【手続補正２】
【補正対象書類名】明細書
【補正対象項目名】０００５
【補正方法】変更
【補正の内容】
【０００５】
本発明は、変動する複数の識別情報を含む複数の画像を表示可能な画像表示手段（例えば、液晶表示手段２１）と、前記画像表示手段による画像表示を制御する画像表示制御手段（例えば、演出制御基板３２）と、変動後の前記複数の識別情報が予め定められた特定の表示結果となった場合に遊技者に有利な利益状態を発生させる利益状態発生手段とを備えた遊技機において、前記画像表示制御手段は、前記複数の画像を優先順位に従って重畳して前記画像表示手段に表示可能であり（例えば、図３、図５、図６、図１５のＳ８１０〜Ｓ８１４、Ｓ８２０〜Ｓ８２２、Ｓ８２６、Ｓ８２、Ｓ８３０〜Ｓ８３３、図２４）、前記複数の画像は、遊技者に対する誘導画像を含む特定画像と、該特定画像よりも低い優先順位に設定され且つ変動表示を停止した状態の前記識別情報を示す変動後識別情報画像を含む非特定画像と、前記特定画像よりも低く前記非特定画像よりも高い優先順位に設定され且つ前記非特定画像の視認性を抑制する視認性抑制画像とを含み、前記画像表示制御手段は、前記非特定画像に前記視認性抑制画像が重畳し且つ前記視認性抑制画像に前記特定画像が重畳するように前記複数の画像を制御可能であり、前記視認性抑制画像は均一の透過率に設定され、前記誘導画像は、遊技球を遊技領域に向けて発射する発射手段に対する発射操作を誘導する発射誘導画像を含み、前記画像表示制御手段は、１又は複数の前記識別情報が変動表示を停止した状態で表示されているとき、前記発射誘導画像も表示されるように制御することを特徴とする。
また、前記非特定画像は所定演出画像を含み、前記画像表示制御手段により、前記特定画像と、前記非特定画像と、前記視認性抑制画像とを表示した第１表示状態から、少なくとも前記所定演出画像を引き続き表示し且つ前記視認性抑制画像を表示しない第２表示状態に移行可能としてもよい。
また、前記所定演出画像は、前記第１表示状態から前記第２表示状態にかけて連続性を有するものとしてもよい。前記第１表示状態では、前記特定画像は所定演出の出現を予告する予告画像を含むものとしてもよい。
【手続補正書】
【提出日】平成30年6月21日(2018.6.21)
【手続補正１】
【補正対象書類名】特許請求の範囲
【補正対象項目名】全文
【補正方法】変更
【補正の内容】
【特許請求の範囲】
【請求項１】
図柄始動条件の成立に基づいて乱数情報を抽出する乱数抽出手段と、
前記乱数情報に基づいて変動する複数の識別情報を含む複数の画像を表示可能な画像表示手段と、
前記画像表示手段による画像表示を制御する画像表示制御手段と、
変動後の前記複数の識別情報が予め定められた特定の表示結果となった場合に遊技者に有利な利益状態を発生させる利益状態発生手段と、
前記乱数抽出手段により抽出された前記乱数情報を前記識別情報の変動に用いられるまで所定の上限保留記憶数の範囲内で保留記憶する保留記憶手段と
を備えた遊技機において、
前記画像表示制御手段は、前記複数の画像を優先順位に従って重畳して前記画像表示手段に表示する重畳表示制御が可能であり、
前記複数の画像は、遊技者に対する誘導画像を含む特定画像と、該特定画像よりも低い優先順位に設定され且つ変動表示を停止した状態の前記識別情報を示す変動後識別情報画像を含む非特定画像と、前記特定画像よりも低く前記非特定画像よりも高い優先順位に設定され且つ前記非特定画像の視認性を抑制する視認性抑制画像とを含み、
前記画像表示制御手段は、前記非特定画像に前記視認性抑制画像が重畳し且つ前記視認性抑制画像に前記特定画像が重畳するように前記複数の画像を制御可能であり、
前記視認性抑制画像は均一の透過率に設定され、
前記誘導画像は、遊技球を遊技領域に向けて発射する発射手段に対する発射操作を誘導する発射誘導画像を含み、
前記特定画像は、前記保留記憶手段による前記乱数情報の保留記憶数を示す保留表示画像を更に含み、
前記誘導画像、前記識別情報及び前記保留表示画像は互いに重ならない位置に表示される
ことを特徴とする遊技機。
【請求項２】
前記視認性抑制画像は、透過率の高い高透過率箇所を有する第１の視認性抑制画像と、前記高透過率箇所を有さない第２の視認性抑制画像とを含み、
前記画像表示制御手段は、前記第１の視認性抑制画像と前記第２の視認性抑制画像との内の一方を用いて前記重畳表示制御を行った後、他方を用いて前記重畳表示制御を行うことが可能である
ことを特徴とする請求項１に記載の遊技機。
【手続補正２】
【補正対象書類名】明細書
【補正対象項目名】０００５
【補正方法】変更
【補正の内容】
【０００５】
本発明は、図柄始動条件の成立に基づいて乱数情報を抽出する乱数抽出手段と、前記乱数情報に基づいて変動する複数の識別情報を含む複数の画像を表示可能な画像表示手段（例えば、液晶表示手段２１）と、前記画像表示手段による画像表示を制御する画像表示制御手段（例えば、演出制御基板３２）と、変動後の前記複数の識別情報が予め定められた特定の表示結果となった場合に遊技者に有利な利益状態を発生させる利益状態発生手段と、前記乱数抽出手段により抽出された前記乱数情報を前記識別情報の変動に用いられるまで所定の上限保留記憶数の範囲内で保留記憶する保留記憶手段とを備えた遊技機において、前記画像表示制御手段は、前記複数の画像を優先順位に従って重畳して前記画像表示手段に表示する重畳表示制御が可能であり（例えば、図３、図５、図６、図１５のＳ８１０〜Ｓ８１４、Ｓ８２０〜Ｓ８２２、Ｓ８２６、Ｓ８２、Ｓ８３０〜Ｓ８３３、図２２）、前記複数の画像は、遊技者に対する誘導画像を含む特定画像と、該特定画像よりも低い優先順位に設定され且つ変動表示を停止した状態の前記識別情報を示す変動後識別情報画像を含む非特定画像と、前記特定画像よりも低く前記非特定画像よりも高い優先順位に設定され且つ前記非特定画像の視認性を抑制する視認性抑制画像とを含み、前記画像表示制御手段は、前記非特定画像に前記視認性抑制画像が重畳し且つ前記視認性抑制画像に前記特定画像が重畳するように前記複数の画像を制御可能であり、前記視認性抑制画像は均一の透過率に設定され、前記誘導画像は、遊技球を遊技領域に向けて発射する発射手段に対する発射操作を誘導する発射誘導画像を含み、前記特定画像は、前記保留記憶手段による前記乱数情報の保留記憶数を示す保留表示画像を更に含み、前記誘導画像、前記識別情報及び前記保留表示画像は互いに重ならない位置に表示されることを特徴とする。
また、前記視認性抑制画像は、透過率の高い高透過率箇所を有する第１の視認性抑制画像と、前記高透過率箇所を有さない第２の視認性抑制画像とを含み、前記画像表示制御手段は、前記第１の視認性抑制画像と前記第２の視認性抑制画像との内の一方を用いて前記重畳表示制御を行った後、他方を用いて前記重畳表示制御を行うことを可能としてもよい。
【手続補正書】
【提出日】平成30年6月21日(2018.6.21)
【手続補正１】
【補正対象書類名】特許請求の範囲
【補正対象項目名】全文
【補正方法】変更
【補正の内容】
【特許請求の範囲】
【請求項１】
複数の画像を表示可能な画像表示手段と、
前記画像表示手段による画像表示を制御する画像表示制御手段と、
遊技者が操作可能な操作手段と、
前記操作手段が操作されることに基づいて複数の候補の何れかが選択された場合に、その候補に対応する演出を実行する演出制御手段と
を備えた遊技機において、
前記画像表示制御手段は、前記複数の画像を優先順位に従って重畳して前記画像表示手段に表示可能であり、
前記複数の画像は、特定画像と、該特定画像よりも低い優先順位に設定された非特定画像と、前記特定画像よりも低く前記非特定画像よりも高い優先順位に設定され且つ前記非特定画像の視認性を抑制する視認性抑制画像とを含み、
前記画像表示制御手段は、前記非特定画像に前記視認性抑制画像が重畳し且つ前記視認性抑制画像に前記特定画像が重畳するように前記複数の画像を制御可能であり、
前記視認性抑制画像は均一の透過率に設定され、
前記特定画像は、前記複数の候補のうちの何れか一つの選択候補に対応する選択候補画像を含み、
前記非特定画像は、一又は複数の非選択候補画像を含み、
前記一又は複数の非選択候補画像は、前記複数の候補のうち前記選択候補以外の全ての候補に少なくとも対応している
ことを特徴とする遊技機。
【請求項２】
前記非選択候補画像は、前記複数の候補の全てに対応し、
前記特定画像に含まれる前記選択候補画像を、前記選択候補に対応する前記非選択候補画像に重畳して表示する
ことを特徴とする請求項１に記載の遊技機。
【請求項３】
前記特定画像は、遊技者に前記操作手段の操作を促すための操作誘導画像を含み、
前記操作誘導画像の優先順位を、前記選択候補画像の優先順位よりも高くした
ことを特徴とする請求項１又は２に記載の遊技機。
【請求項４】
前記特定画像は、前記複数の候補に夫々対応する文字情報を表す文字画像を含む
ことを特徴とする請求項１〜３の何れかに記載の遊技機。
【請求項５】
前記選択候補は、所定時間経過毎に前記複数の候補内で順次移行する
ことを特徴とする請求項１〜４の何れかに記載の遊技機。
【手続補正２】
【補正対象書類名】明細書
【補正対象項目名】０００５
【補正方法】変更
【補正の内容】
【０００５】
本発明は、複数の画像を表示可能な画像表示手段（例えば、液晶表示手段２１）と、前記画像表示手段による画像表示を制御する画像表示制御手段（例えば、演出制御基板３２）と、遊技者が操作可能な操作手段（例えば、演出ボタン２０ａ）と、前記操作手段が操作されることに基づいて複数の候補の何れかが選択された場合に、その候補に対応する演出を実行する演出制御手段（例えば、演出制御基板３２）とを備えた遊技機において、前記画像表示制御手段は、前記複数の画像を優先順位に従って重畳して前記画像表示手段に表示可能であり（例えば、図３、図５、図６、図１５のＳ８１０〜Ｓ８１４、Ｓ８２０〜Ｓ８２２、Ｓ８２６、Ｓ８２、Ｓ８３０〜Ｓ８３３、図２１）、前記複数の画像は、特定画像（例えば、図２１（ｂ）の選択候補画像（ゾウ）Ｅ３１、ボタン押下指示表示画像Ｅ２０、保留枠表示画像Ｖ、保留表示画像Ｘ，Ｙ）と、該特定画像よりも低い優先順位に設定された非特定画像（例えば、図２１（ｂ）の背景画像Ｗ１、縮小左図柄ＥＳ１、縮小中図柄ＥＳ２、縮小右図柄ＥＳ３、非選択候補画像（ゾウ）Ｅ２１、非選択候補画像（キリン）Ｅ２２、非選択候補画像（ライオン）Ｅ２３）と、前記特定画像よりも低く前記非特定画像よりも高い優先順位に設定され且つ前記非特定画像の視認性を抑制する視認性抑制画像（例えば、図２１（ｂ）のトーンダウン画像（黒半透明））とを含み、前記画像表示制御手段は、前記非特定画像に前記視認性抑制画像が重畳し且つ前記視認性抑制画像に前記特定画像が重畳するように前記複数の画像を制御可能であり、前記視認性抑制画像は均一の透過率に設定され、前記特定画像は、前記複数の候補のうちの何れか一つの選択候補に対応する選択候補画像（例えば、図２１（ｂ）の選択候補画像（ゾウ）Ｅ３１）を含み、前記非特定画像は、一又は複数の非選択候補画像（例えば、図２１（ｂ）の非選択候補画像（ゾウ）Ｅ２１、非選択候補画像（キリン）Ｅ２２、非選択候補画像（ライオン）Ｅ２３）を含み、前記一又は複数の非選択候補画像は、前記複数の候補のうち前記選択候補以外の全ての候補に少なくとも対応していることを特徴とする。
また、前記非選択候補画像は、前記複数の候補の全てに対応し、前記特定画像に含まれる前記選択候補画像を、前記選択候補に対応する前記非選択候補画像に重畳して表示してもよい。また、前記特定画像は、遊技者に前記操作手段の操作を促すための操作誘導画像（例えば、図２１（ｂ）のボタン押下指示表示画像Ｅ２０）を含み、前記操作誘導画像の優先順位を、前記選択候補画像の優先順位よりも高くしてもよい。
また、前記特定画像は、前記複数の候補に夫々対応する文字情報を表す文字画像を含んでもよい。また、前記選択候補は、所定時間経過毎に前記複数の候補内で順次移行するように構成してもよい。
また、前記視認性抑制画像の透過率を設定する透過率設定手段（例えば、サブワンチップマイコン８００）を備えてもよい。前記透過率設定手段は、設定する透過率を複数種類の透過率から選択する透過率選択手段を含んでもよいし、前記非特定画像を視認不能に制御する非特定画像規制手段を含んでもよい。前記複数種類の透過率は、第１透過率と第２透過率とを含み、前記透過率選択手段は、前記第１透過率を選択した後前記第２透過率を選択するように構成してもよい。前記視認性抑制画像を重畳表示する領域を設定する画像領域設定手段を備え、前記画像表示制御手段は、前記画像領域設定手段により設定された領域に前記視認性抑制画像を重畳表示する制御を行うように構成してもよい。
【手続補正書】
【提出日】平成30年6月21日(2018.6.21)
【手続補正１】
【補正対象書類名】特許請求の範囲
【補正対象項目名】全文
【補正方法】変更
【補正の内容】
【特許請求の範囲】
【請求項１】
変動する複数の識別情報を含む複数の画像を表示可能な画像表示手段と、
前記画像表示手段による画像表示を制御する画像表示制御手段と、
変動後の前記複数の識別情報が予め定められた特定の表示結果となった場合に遊技者に有利な利益状態を発生させる利益状態発生手段と、
前記画像表示手段の周辺の明度を制御するための明度制御手段と
を備えた遊技機において、
前記画像表示制御手段は、前記複数の画像を優先順位に従って重畳して前記画像表示手段に表示可能であり、
前記複数の画像は、特定画像と、該特定画像よりも低い優先順位に設定され且つ変動表示を停止した状態の前記識別情報を示す変動後識別情報画像を含む非特定画像と、前記特定画像よりも低く前記非特定画像よりも高い優先順位に設定され且つ前記非特定画像の視認性を抑制する視認性抑制画像とを含み、
前記画像表示制御手段は、前記非特定画像に前記視認性抑制画像が重畳し且つ前記視認性抑制画像に前記特定画像が重畳するように前記複数の画像を制御可能であり、
前記視認性抑制画像は均一の透過率に設定され、
１又は複数の前記識別情報が変動表示を停止した状態で表示されている場合に、前記明度制御手段は前記画像表示制御手段の周辺の明度を変化させる制御を行う
ことを特徴とする遊技機。
【請求項２】
前記特定画像は、前記非特定画像の一部の意味する情報と同じ所定画像を含む
ことを特徴とする請求項１に記載の遊技機。
【請求項３】
前記画像表示制御手段は、前記所定画像を前記非特定画像の一部の場所に表示する制御を行う
ことを特徴とする請求項２に記載の遊技機。
【請求項４】
前記所定画像は、前記識別情報を示す識別情報画像を含む
ことを特徴とする請求項２又は３に記載の遊技機。
【手続補正２】
【補正対象書類名】明細書
【補正対象項目名】０００５
【補正方法】変更
【補正の内容】
【０００５】
本発明は、変動する複数の識別情報を含む複数の画像を表示可能な画像表示手段（例えば、液晶表示手段２１）と、前記画像表示手段による画像表示を制御する画像表示制御手段（例えば、演出制御基板３２）と、変動後の前記複数の識別情報が予め定められた特定の表示結果となった場合に遊技者に有利な利益状態を発生させる利益状態発生手段と、前記画像表示手段の周辺の明度を制御するための明度制御手段とを備えた遊技機において、前記画像表示制御手段は、前記複数の画像を優先順位に従って重畳して前記画像表示手段に表示可能であり、前記複数の画像は、特定画像と、該特定画像よりも低い優先順位に設定され且つ変動表示を停止した状態の前記識別情報を示す変動後識別情報画像を含む非特定画像と、前記特定画像よりも低く前記非特定画像よりも高い優先順位に設定され且つ前記非特定画像の視認性を抑制する視認性抑制画像（例えば、黒半透明のトーンダウン画像）とを含み、前記画像表示制御手段は、前記非特定画像に前記視認性抑制画像が重畳し且つ前記視認性抑制画像に前記特定画像が重畳するように前記複数の画像を制御可能であり、前記視認性抑制画像は均一の透過率に設定され、１又は複数の前記識別情報が変動表示を停止した状態で表示されている場合に、前記明度制御手段は前記画像表示制御手段の周辺の明度を変化させる制御を行うことを特徴とする。また、前記特定画像は、前記非特定画像の一部の意味する情報と同じ所定画像を含んでもよい。
また、前記画像表示制御手段は、前記所定画像を前記非特定画像の一部の場所に表示する制御を行うようにしてもよい。
また、前記所定画像は、前記識別情報を示す識別情報画像（図２８（ｂ）の停止図柄予告「七」と「六」）を含んでもよい。
【手続補正書】
【提出日】平成30年6月21日(2018.6.21)
【手続補正１】
【補正対象書類名】特許請求の範囲
【補正対象項目名】全文
【補正方法】変更
【補正の内容】
【特許請求の範囲】
【請求項１】
複数の画像を表示可能な画像表示手段と、
前記画像表示手段による画像表示を制御する画像表示制御手段と
を備えた遊技機において、
前記画像表示制御手段は、前記複数の画像を優先順位に従って重畳して前記画像表示手段に表示可能であり、
前記複数の画像は、特定画像と、該特定画像よりも低い優先順位に設定された非特定画像と、前記特定画像よりも低く前記非特定画像よりも高い優先順位に設定され且つ前記非特定画像の視認性を抑制する視認性抑制画像とを含み、
前記画像表示制御手段は、前記非特定画像に前記視認性抑制画像が重畳し且つ前記視認性抑制画像に前記特定画像が重畳するように前記複数の画像を制御可能であり、
前記視認性抑制画像は均一の透過率に設定され、
前記特定画像は、背景を含む前記非特定画像よりも発光した表現となるエフェクト画像を含む
ことを特徴とする遊技機。
【請求項２】
前記画像表示手段に複数種類の識別情報を変動表示させて抽選遊技を開始する始動条件の成立を検出する始動検出手段と、
前記始動検出手段による検出に基づいて、前記抽選遊技に用いる乱数情報を抽出する乱数抽出手段と、
前記乱数抽出手段により抽出された乱数情報であって未だ前記抽選遊技に用いられていない乱数情報を所定の上限保留記憶数の範囲内で保留記憶する保留記憶手段と、をさらに備え、
前記特定画像は、前記保留記憶手段による前記乱数情報の保留記憶数を示す保留表示画像を含み、
前記エフェクト画像と前記保留表示画像とを互いに重ならない位置に表示する
ことを特徴とする請求項１に記載の遊技機。
【手続補正２】
【補正対象書類名】明細書
【補正対象項目名】０００５
【補正方法】変更
【補正の内容】
【０００５】
本発明は、複数の画像を表示可能な画像表示手段（例えば、液晶表示手段２１）と、前記画像表示手段による画像表示を制御する画像表示制御手段（例えば、演出制御基板３２）とを備えた遊技機において、前記画像表示制御手段は、前記複数の画像を優先順位に従って重畳して前記画像表示手段に表示可能であり（例えば、図３、図５、図６、図１５のＳ８１０〜Ｓ８１４、Ｓ８２０〜Ｓ８２２、Ｓ８２６、Ｓ８２、Ｓ８３０〜Ｓ８３３、図２３）、前記複数の画像は、特定画像（例えば、図２３（ｂ）の予告キャラ画像（カッパ）ＥＣ、保留枠表示画像Ｖ、保留表示画像Ｘ，Ｙ、予告構成パーツ画像（花）Ｅ１０、予告構成パーツ画像（輝きエフェクト）Ｅ１１、予告構成パーツ画像（発光エフェクト）Ｅ１２）と、該特定画像よりも低い優先順位に設定された非特定画像（例えば、図２３（ｂ）の背景画像Ｗ１、縮小左図柄画像ＥＳ１、縮小中図柄画像ＥＳ２、縮小右図柄画像ＥＳ３）と、前記特定画像よりも低く前記非特定画像よりも高い優先順位に設定され且つ前記非特定画像の視認性を抑制する視認性抑制画像（例えば、図２３（ｂ）のトーンダウン画像（黒半透明））とを含み、前記画像表示制御手段は、前記非特定画像に前記視認性抑制画像が重畳し且つ前記視認性抑制画像に前記特定画像が重畳するように前記複数の画像を制御可能であり、前記視認性抑制画像は均一の透過率に設定され、前記特定画像は、背景を含む前記非特定画像よりも発光した表現となるエフェクト画像を含むことを特徴とする。
また、前記画像表示手段に複数種類の識別情報を変動表示させて抽選遊技を開始する始動条件の成立を検出する始動検出手段と、前記始動検出手段による検出に基づいて、前記抽選遊技に用いる乱数情報を抽出する乱数抽出手段と、前記乱数抽出手段により抽出された乱数情報であって未だ前記抽選遊技に用いられていない乱数情報を所定の上限保留記憶数の範囲内で保留記憶する保留記憶手段と、をさらに備え、前記特定画像は、前記保留記憶手段による前記乱数情報の保留記憶数を示す保留表示画像を含み、前記エフェクト画像と前記保留表示画像とを互いに重ならない位置に表示するように構成してもよい。
【手続補正書】
【提出日】平成30年6月21日(2018.6.21)
【手続補正１】
【補正対象書類名】特許請求の範囲
【補正対象項目名】全文
【補正方法】変更
【補正の内容】
【特許請求の範囲】
【請求項１】
複数の画像を表示可能な画像表示手段と、
前記画像表示手段による画像表示を制御する画像表示制御手段と
を備えた遊技機において、
前記画像表示制御手段は、前記複数の画像を優先順位に従って重畳して前記画像表示手段に表示可能であり、
前記複数の画像は、特定画像と、該特定画像よりも低い優先順位に設定された非特定画像と、前記特定画像よりも低く前記非特定画像よりも高い優先順位に設定され且つ前記非特定画像の視認性を抑制する視認性抑制画像とを含み、
前記画像表示制御手段は、前記非特定画像に前記視認性抑制画像が重畳し且つ前記視認性抑制画像に前記特定画像が重畳するように前記複数の画像を制御可能であり、
前記視認性抑制画像は均一の透過率に設定され、
前記特定画像は、
遊技球を遊技領域に向けて発射する発射手段に対する発射操作を誘導する発射誘導画像と、
前記発射誘導画像に重ならない位置に表示される所定演出に関連する文字予告画像とを含む
ことを特徴とする遊技機。
【請求項２】
前記画像表示手段に複数種類の識別情報を変動表示させて抽選遊技を開始する始動条件の成立を検出する始動検出手段と、
前記始動検出手段による検出に基づいて、前記抽選遊技に用いる乱数情報を抽出する乱数抽出手段と、
前記乱数抽出手段により抽出された乱数情報であって未だ前記抽選遊技に用いられていない乱数情報を所定の上限保留記憶数の範囲内で保留記憶する保留記憶手段と、をさらに備え、
前記非特定画像は、前記保留記憶手段による前記乱数情報の保留記憶数を示す保留表示画像を含む
ことを特徴とする請求項１に記載の遊技機。
【請求項３】
前記保留表示画像の色を変化可能に構成し、
前記視認性抑制画像の透過率を、前記保留表示画像の色変化が識別可能な範囲に設定した
ことを特徴とする請求項２に記載の遊技機。
【請求項４】
前記文字予告画像は、文字情報を含み且つ該文字情報の外周に沿ってその内側よりも高い明度の輪郭部を備えた
ことを特徴とする請求項１〜３の何れかに記載の遊技機。
【手続補正２】
【補正対象書類名】明細書
【補正対象項目名】０００５
【補正方法】変更
【補正の内容】
【０００５】
本発明は、複数の画像を表示可能な画像表示手段（例えば、液晶表示手段２１）と、前記画像表示手段による画像表示を制御する画像表示制御手段（例えば、演出制御基板３２）とを備えた遊技機において、前記画像表示制御手段は、前記複数の画像を優先順位に従って重畳して前記画像表示手段に表示可能であり（例えば、図３、図５、図６、図１５のＳ８１０〜Ｓ８１４、Ｓ８２０〜Ｓ８２２、Ｓ８２６、Ｓ８２、Ｓ８３０〜Ｓ８３３、図１８）、前記複数の画像は、特定画像（例えば、図１８（ｂ）の予告文字画像（「大当たり？」）Ｗ３、発射誘導表示画像（右打ち）Ｗ４）と、該特定画像よりも低い優先順位に設定された非特定画像（例えば、図１８（ｂ）の背景画像Ｗ１、左図柄画像Ｅ１、中図柄画像Ｅ２、右図柄画像Ｅ３、第４図柄画像Ｚ１，Ｚ２、保留枠表示画像Ｖ、保留表示画像Ｘ，Ｙ、モード表示画像（Ａモード）Ｗ２）と、前記特定画像よりも低く前記非特定画像よりも高い優先順位に設定され且つ前記非特定画像の視認性を抑制する視認性抑制画像（例えば、図１８（ｂ）のトーンダウン画像（黒半透明））とを含み、前記画像表示制御手段は、前記非特定画像に前記視認性抑制画像が重畳し且つ前記視認性抑制画像に前記特定画像が重畳するように前記複数の画像を制御可能であり、前記視認性抑制画像は均一の透過率に設定され、前記特定画像は、遊技球を遊技領域に向けて発射する発射手段に対する発射操作を誘導する発射誘導画像（例えば、図１８（ｂ）の発射誘導表示画像（右打ち）Ｗ４）と、前記発射誘導画像に重ならない位置に表示される所定演出に関連する文字予告画像（例えば、図１８（ｂ）の予告文字画像Ｗ３）とを含むことを特徴とする。
また、前記画像表示手段に複数種類の識別情報を変動表示させて抽選遊技を開始する始動条件の成立を検出する始動検出手段（例えば、特別始動口チェック処理手段５２）と、前記始動検出手段による検出に基づいて、前記抽選遊技に用いる乱数情報を抽出する乱数抽出手段（例えば、特別乱数作成処理手段５１、特別始動口チェック処理手段５２）と、前記乱数抽出手段により抽出された乱数情報であって未だ前記抽選遊技に用いられていない乱数情報を所定の上限保留記憶数の範囲内で保留記憶する保留記憶手段（例えば、特別乱数記憶手段５３）と、をさらに備え、前記非特定画像は、前記保留記憶手段による前記乱数情報の保留記憶数を示す保留表示画像（例えば、図１８（ｂ）の保留表示画像Ｘ，Ｙ）を含んでもよい。この場合、前記保留表示画像の色を変化可能に構成し、前記視認性抑制画像の透過率を、前記保留表示画像の色変化が識別可能な範囲に設定してもよい。
また、前記文字予告画像は、文字情報を含み且つ該文字情報の外周に沿ってその内側よりも高い明度の輪郭部（例えば、図１８（ｂ）の輪郭部Ｗ３ａ）を備えた構成としてもよい。また、前記視認性抑制画像の透過率を設定する透過率設定手段（例えば、サブワンチップマイコン８００）を備えてもよい。前記透過率設定手段は、設定する透過率を複数種類の透過率から選択する透過率選択手段を含んでもよいし、前記非特定画像を視認不能に制御する非特定画像規制手段を含んでもよい。前記複数種類の透過率は、第１透過率と第２透過率とを含み、前記透過率選択手段は、前記第１透過率を選択した後前記第２透過率を選択するように構成してもよい。前記視認性抑制画像を重畳表示する領域を設定する画像領域設定手段を備え、前記画像表示制御手段は、前記画像領域設定手段により設定された領域に前記視認性抑制画像を重畳表示する制御を行うように構成してもよい。
また、前記画像表示手段が複数種類の識別情報（例えば、図１８（ｂ）の左図柄画像Ｅ１、中図柄画像Ｅ２、右図柄画像Ｅ３）を変動表示したあと表示結果を確定表示し、該確定表示された表示結果が予め定められた特定の表示結果の場合に遊技者にとって有利な特定遊技状態に制御されるように構成し、前記非特定画像は、変動中の前記識別情報を示す変動中識別情報画像（例えば、図１８（ｂ）の左図柄画像Ｅ１、中図柄画像Ｅ２、右図柄画像Ｅ３）を含んでもよい。この場合、前記透過率設定手段は、前記視認性抑制画像の透過率を、前記変動中識別情報画像の透過率よりも高く設定してもよい。前記画像表示制御手段は、前記識別情報が前記特定の表示態様で確定する場合は前記特定の表示態様以外で確定する場合に比べて高い割合で前記視認性抑制画像を重畳表示する制御を行うように構成してもよい。
【手続補正書】
【提出日】平成30年5月23日(2018.5.23)
【手続補正１】
【補正対象書類名】特許請求の範囲
【補正対象項目名】全文
【補正方法】変更
【補正の内容】
【特許請求の範囲】
【請求項１】
腋窩に配置され形状を可変できる腋窩パッドと、
前腕部と身体側部との間に配置され、肩関節の外転角度を調整する角度調整パッドと、
を備える、肩関節装具。
【請求項２】
前記腋窩パッドはエアーパックである、請求項１に記載の肩関節装具。
【請求項３】
前記角度調整パッドは、装着者の身体側部に接する身体固定パッドを備える、請求項１又は２記載の肩関節装具。
【請求項４】
前記身体固定パッドは、前記腋窩パッドよりも硬質に形成される、請求項３記載の肩関節装具。
【請求項５】
前記身体固定パッドは、装着時に前記身体側部と接する部分に支持面を有し、当該支持面は湾曲した面及び／又は前記身体側部に接する少なくとも二つの面を有する複合面である、請求項３又は４に記載の肩関節装具。
【請求項６】
前記角度調整パッドは、前記身体固定パッドに接し、前腕部に接する外転調整パッドを備える、請求項３〜５のいずれか一項に記載の肩関節装具。
【請求項７】
前記外転調整パッドは形状を可変できる、請求項６記載の肩関節装具。
【請求項８】
前記身体固定パッドは、前記外転調整パッドよりも硬質に形成される、請求項６又は７に記載の肩関節装具。
【請求項９】
前記外転調整パッドはエアーパックである、請求項６〜８のいずれか一項に記載の肩関節装具。
【請求項１０】
腋窩に配置され形状を可変できる腋窩パッドと、
前腕部と身体側部との間に配置され、装着者の身体側部に接する身体固定パッドと、
を備える、肩関節装具。
【請求項１１】
前記身体固定パッドは、前記腋窩パッドよりも硬質に形成される、請求項１０に記載の肩関節装具。
【請求項１２】
前記腋窩パッドはエアーパックである、請求項１０又は１１に記載の肩関節装具。
【請求項１３】
前記身体固定パッドは、装着時に前記身体側部と接する部分に支持面を有し、当該支持面は湾曲した面及び／又は前記身体側部に接する少なくとも二つの面を有する複合面である、請求項１０〜１２のいずれか一項に記載の肩関節装具。
【手続補正書】
【提出日】平成29年12月22日(2017.12.22)
【手続補正１】
【補正対象書類名】特許請求の範囲
【補正対象項目名】全文
【補正方法】変更
【補正の内容】
【特許請求の範囲】
【請求項１】
複数のセンサと、前記複数のセンサを駆動する駆動部と、前記駆動部により駆動された各センサから信号を読み出す読出部と、制御部とを備える放射線撮像装置であって、
前記制御部は、
前記複数のセンサに対する放射線の照射が開始された後、前記複数のセンサのうちの第１センサを前記駆動部により駆動しながら前記第１センサの信号を前記読出部により読み出すことにより前記第１センサの信号をモニタし、該モニタされた前記第１センサの信号を累積加算する第１制御と、
前記第１制御において前記累積加算により得られた演算値と目標値とに基づいて、前記放射線の照射を終了させるための制御信号を出力する第２制御と、
前記第２制御により前記放射線の照射が終了された後、前記複数のセンサのそれぞれを前記駆動部により駆動しながら前記複数のセンサのそれぞれの信号を前記読出部により読み出す第３制御と、
を行い、
前記制御部は、前記第１制御での前記モニタの周期を、前記目標値および前記放射線の照射が開始されてからの経過時間に基づいて変更する
ことを特徴とする放射線撮像装置。
【請求項２】
前記制御部は、前記第１制御での前記モニタの周期を前記経過時間に応じて大きくし、前記第２制御において前記演算値が前記目標値に達したことに応じて前記制御信号を出力する
ことを特徴とする請求項１に記載の放射線撮像装置。
【請求項３】
１以上の整数Ｋを用いて、
第Ｋ回目のモニタを行った時刻をｔ（Ｋ）とし、
前記第Ｋ回目のモニタを行った時の前記経過時間をＴ（Ｋ）としたとき、
前記制御部は、第（Ｋ＋１）回目のモニタを行う時刻ｔ（Ｋ＋１）を
｛ｔ（Ｋ＋１）−ｔ（Ｋ）｝∝Ｔ（Ｋ）
の関係が成立するように決定する
ことを特徴とする請求項２に記載の放射線撮像装置。
【請求項４】
前記制御部は、前記第１制御において、前記第１センサの信号のモニタのタイミングを、それまでにモニタされた前記第１センサの信号の値に基づいて決定する
ことを特徴とする請求項１に記載の放射線撮像装置。
【請求項５】
２以上の整数Ｋを用いて、
第（Ｋ−１）回目のモニタを行った時刻をｔ（Ｋ−１）とし、
第Ｋ回目のモニタを行った時刻をｔ（Ｋ）とし、
第１回目から前記第（Ｋ−１）回目までのモニタにより得られた前記演算値をＤ（Ｋ−１）とし、
前記第１回目から前記第Ｋ回目までのモニタにより得られた前記演算値をＤ（Ｋ）とし、
前記目標値をＤＴＨとし、
係数Ｇ（Ｋ）であって０＜Ｇ（Ｋ）≦１かつＧ（Ｋ−１）＜Ｇ（Ｋ）＜Ｇ（Ｋ＋１）を満たす係数Ｇ（Ｋ）を用いて、第（Ｋ＋１）回目のモニタを行った場合の前記第１回目から前記第（Ｋ＋１）回目までのモニタにより得られる前記演算値の目標値をＧ（Ｋ＋１）×ＤＴＨとしたときに、
前記制御部は、前記第（Ｋ＋１）回目のモニタを行う時刻ｔ（Ｋ＋１）を、
ｔ（Ｋ＋１）−ｔ（Ｋ）＝｛（ｔ（Ｋ）−ｔ（Ｋ−１））／（Ｄ（Ｋ）−Ｄ（Ｋ−１））｝×｛Ｇ（Ｋ＋１）×ＤＴＨ−Ｄ（Ｋ）｝
の関係が成立するように決定する
ことを特徴とする請求項４に記載の放射線撮像装置。
【請求項６】
前記制御部は、前記第１制御において、前記第１回目のモニタを、それにより得られる前記演算値が前記目標値の半分の値よりも小さい値になるタイミングで行う
ことを特徴とする請求項４または請求項５に記載の放射線撮像装置。
【請求項７】
前記制御部は、前記第１制御で得られた前記演算値と、前記第３制御で前記第１センサから読み出された信号の値とを加算する
ことを特徴とする請求項１から請求項６のいずれか１項に記載の放射線撮像装置。
【請求項８】
前記複数のセンサは、複数の行および複数の列を形成するように配列されており、
前記制御部は、前記第１制御では、前記複数の行の一部に配された各センサを前記第１センサとして前記駆動部により駆動する
ことを特徴とする請求項１から請求項７のいずれか１項に記載の放射線撮像装置。
【請求項９】
前記複数の行の前記一部は２以上の行であり、
前記制御部は、前記第１制御では、前記２以上の行の一方に配された各センサの前記駆動部による駆動と、前記２以上の行の他方に配された各センサの前記駆動部による駆動とを交互に行う
ことを特徴とする請求項８に記載の放射線撮像装置。
【請求項１０】
前記制御部は、前記第１制御を開始する前、前記複数のセンサのそれぞれを前記駆動部により駆動して前記複数のセンサのそれぞれを初期化する動作を行う
ことを特徴とする請求項１から請求項９のいずれか１項に記載の放射線撮像装置。
【請求項１１】
複数のセンサと、前記複数のセンサを駆動する駆動部と、前記駆動部により駆動された各センサから信号を読み出す読出部とを備える放射線撮像装置の制御方法であって、
前記複数のセンサに対する放射線の照射が開始された後、前記複数のセンサのうちの第１センサを前記駆動部により駆動しながら前記第１センサの信号を前記読出部により読み出すことにより前記第１センサの信号をモニタし、該モニタされた前記第１センサの信号を累積加算する第１工程と、
前記第１工程において前記累積加算により得られた演算値と目標値とに基づいて、前記放射線の照射を終了させるための制御信号を出力する第２工程と、
前記第２工程により前記放射線の照射が終了された後、前記複数のセンサのそれぞれを前記駆動部により駆動しながら前記複数のセンサのそれぞれの信号を前記読出部により読み出す第３工程と、を含み、
前記第１工程では、前記モニタの周期を、前記目標値および前記放射線の照射が開始されてからの経過時間に基づいて変更する
ことを特徴とする放射線撮像装置の制御方法。
【手続補正２】
【補正対象書類名】明細書
【補正対象項目名】０００８
【補正方法】変更
【補正の内容】
【０００８】
本発明の一つの側面は放射線撮像装置にかかり、前記放射線撮像装置は、複数のセンサと、前記複数のセンサを駆動する駆動部と、前記駆動部により駆動された各センサから信号を読み出す読出部と、制御部とを備える放射線撮像装置であって、前記制御部は、前記複数のセンサに対する放射線の照射が開始された後、前記複数のセンサのうちの第１センサを前記駆動部により駆動しながら前記第１センサの信号を前記読出部により読み出すことにより前記第１センサの信号をモニタし、該モニタされた前記第１センサの信号を累積加算する第１制御と、前記第１制御において前記累積加算により得られた演算値と目標値とに基づいて、前記放射線の照射を終了させるための制御信号を出力する第２制御と、前記第２制御により前記放射線の照射が終了された後、前記複数のセンサのそれぞれを前記駆動部により駆動しながら前記複数のセンサのそれぞれの信号を前記読出部により読み出す第３制御と、を行い、前記制御部は、前記第１制御での前記モニタの周期を、前記目標値および前記放射線の照射が開始されてからの経過時間に基づいて変更することを特徴とする。
【手続補正書】
【提出日】平成30年6月29日(2018.6.29)
【手続補正１】
【補正対象書類名】特許請求の範囲
【補正対象項目名】全文
【補正方法】変更
【補正の内容】
【特許請求の範囲】
【請求項１】
遊技球が流下する遊技領域を形成する板状の遊技盤面と、
前記遊技領域に設けられる所定の振分部に到達した遊技球を所定の入賞部側へと導く入賞側誘導部と、
前記所定の振分部に到達した遊技球を前記所定の入賞部へは進入しない側へ導く非入賞確定部と、を有し、
前記入賞側誘導部と前記非入賞確定部とのうち少なくとも一方は、前記遊技盤面に対して垂直な前後方向の位置に応じて、平面視における前記遊技盤面に沿った横幅が変化する形状を有し、
前記所定の振分部に到達した遊技球が前記所定の入賞部へ進行する割合が遊技機の傾斜角度に応じて変化する
ことを特徴とする遊技機。
【請求項２】
前記非入賞確定部は、前記入賞側誘導部の隣に設けられ、前後方向の位置に応じて、前記入賞側誘導部とは逆方向に、平面視における横幅が変化し、前記所定の振分部に到達した遊技球を排出口側へと導くことを特徴とする請求項１記載の遊技機。
【手続補正書】
【提出日】平成30年6月29日(2018.6.29)
【手続補正１】
【補正対象書類名】特許請求の範囲
【補正対象項目名】全文
【補正方法】変更
【補正の内容】
【特許請求の範囲】
【請求項１】
始動入賞手段と、
前記始動入賞手段へ遊技球が進入した場合に所定の抽選確率で成立する抽選を実行する抽選手段と、
前記始動入賞手段へ遊技球が進入して前記抽選手段による前記抽選に当選した場合に、副賞を付与するか否かを選択する副賞付与選択手段とを有し、
該副賞付与選択手段によって副賞が付与される割合が、所定の変更条件によって変更可能に構成されていることを特徴とする遊技機。
【請求項２】
前記始動入賞手段は、
第１の始動入賞手段と、第２の始動入賞手段とを有し、
前記抽選手段は、前記第１及び第２の始動入賞手段への遊技球の進入に応じて、所定の抽選確率で当たりの抽選を実行し、
前記副賞付与選択手段は、前記第１の始動入賞手段への遊技球の進入に応じて、前記第１の始動入賞手段に対応する第１の副賞付与条件で副賞の付与決定を実行し、前記第２の始動入賞手段への遊技球の進入に応じて前記第２の始動入賞手段に対応する条件であって前記第１の副賞付与条件とは異なる第２の副賞付与条件で副賞の付与決定を実行することを特徴とする請求項１に記載の遊技機。
【請求項３】
前記副賞が付与される場合には、前記副賞が付与されない場合と比較して、遊技者が獲得する賞球の数量は変動せず、入賞によって賞球が払い出される入賞装置の動作は変化せず、所定の表示装置の表示内容が異なる構成とされていることを特徴とする請求項１又は２に記載の遊技機。
【手続補正書】
【提出日】平成30年7月3日(2018.7.3)
【手続補正１】
【補正対象書類名】特許請求の範囲
【補正対象項目名】全文
【補正方法】変更
【補正の内容】
【特許請求の範囲】
【請求項１】
内視鏡の挿入部を挿通可能な挿通チャンネルを有し、湾曲可能でかつ湾曲された状態を保持する第１のチューブ部と、
前記第１のチューブ部を挿通可能で、伸縮可能でかつ伸縮された状態を保持可能な第２のチューブ部と、
前記第２のチューブ部に挿通された前記第１のチューブ部が、前記第２のチューブ部の軸方向に沿って移動しないように、前記第２のチューブ部に対して前記第１のチューブ部を固定する第１の固定部と、
を有することを特徴とする内視鏡用ガイドチューブ。
【請求項２】
前記第１の固定部は、前記第２のチューブ部に挿通された前記第１のチューブ部を、前記第２のチューブ部の軸方向に沿って移動可能な状態と、前記第２のチューブ部の軸方向に沿って移動しないように前記第２のチューブ部に対して固定する状態とを変更可能にするように構成されていることを特徴とする請求項１に記載の内視鏡用ガイドチューブ。
【請求項３】
前記第１の固定部は、前記第２のチューブ部の先端に設けられていることを特徴とする請求項１又は２に記載の内視鏡用ガイドチューブ。
【請求項４】
前記第１の固定部は、前記第２のチューブ部の基端に設けられていることを特徴とする請求項１又は２に記載の内視鏡用ガイドチューブ。
【請求項５】
前記第１のチューブ部の先端部に設けられ、前記挿入部が突出する開口部に向けて気体を噴出する第１のノズル部を有し、
前記気体は、前記第１のチューブ部の基端部から前記第１のチューブ部内を通って前記第１のノズル部に供給されることを特徴とする請求項１から４のいずれか１つに記載の内視鏡用ガイドチューブ。
【請求項６】
前記第１のチューブ部の先端部に設けられ、前記先端部の前方に向けて気体を噴出する第２のノズル部を有し、
前記気体は、前記第１のチューブ部の基端部から前記第１のチューブ部内を通って前記第２のノズル部に供給されることを特徴とする請求項５に記載の内視鏡用ガイドチューブ。
【請求項７】
前記気体は、前記第１のチューブ部内に挿通された送気用チューブを介して前記第１のノズル部及び前記第２のノズル部に供給されることを特徴とする請求項６に記載の内視鏡用ガイドチューブ。
【請求項８】
前記第１のチューブ部は、第１チューブと、前記第１チューブを覆う第２チューブを有し、
前記気体は、前記第１チューブと前記第２チューブ間の空間を介して前記第１のノズル部及び前記第２のノズル部に供給されることを特徴とする請求項７に記載の内視鏡用ガイドチューブ。
【請求項９】
前記第１のチューブ部に挿通された前記挿入部が、前記第１のチューブ部の軸方向に沿って移動しないように、前記第１のチューブ部に対して前記挿入部を固定する第２の固定部を有することを特徴とする請求項１から８のいずれか１つに記載の内視鏡用ガイドチューブ。
【請求項１０】
前記第２の固定部は、前記第１のチューブ部に挿通された前記挿入部を、前記第１のチューブ部の軸方向に沿って移動可能な状態から、前記第１のチューブ部の軸方向に沿って移動しないように前記第１のチューブ部に対して固定する状態に変更可能に構成されていることを特徴とする請求項９に記載の内視鏡用ガイドチューブ。
【請求項１１】
前記第１のチューブ部は、前記第２の固定部を、前記第１のチューブ部の軸方向において基端側に所定長さだけ移動させる移動機構を有することを特徴とする請求項１０に記載の内視鏡用ガイドチューブ。
【請求項１２】
前記所定長さは、前記挿入部の先端硬性部の長さと、前記先端硬性部の基端側に設けられた湾曲部の長さと、同じあるいは略同じであることを特徴とする請求項１１に記載の内視鏡用ガイドチューブ。
【請求項１３】
前記第１のチューブ部の先端部の先端面又は外周面の少なくとも１つに設けられた照明部を有し、
前記照明部への電源は、前記第１のチューブ部内に挿通されたリード線を介して行われることを特徴とする請求項１又は２に記載の内視鏡用ガイドチューブ。
【請求項１４】
前記第１のチューブ部は、第１チューブと、前記第１チューブを覆う第２チューブを有し、
前記照明部への電源は、前記第１チューブに設けられたフレキシブル基板を介して行われることを特徴とする請求項１３に記載の内視鏡用ガイドチューブ。
【請求項１５】
前記第１のチューブ部の先端部に設けられ、前記挿入部が突出する開口部に向けて気体を噴出する第１のノズル部と、
前記第１のチューブ部の先端部に設けられ、前記先端部の前方に向けて気体を噴出する第２のノズル部と、
を有し、
前記気体は、前記第１のチューブ部の基端部から前記第１のチューブ部内に挿通された第１及び第２の送気チューブを介して、前記第１及び前記第２のノズル部に供給され、
前記照明部への電源は、導電性を有する前記第１及び第２の送気チューブを介して行われることを特徴とする請求項１３に記載の内視鏡用ガイドチューブ。
【請求項１６】
前記第２のチューブ部を２つ有し、
前記２つの第２のチューブ部は形状保持チューブを介して直列に接続されていることを特徴とする請求項１に記載の内視鏡用ガイドチューブ。
【手続補正書】
【提出日】平成30年6月27日(2018.6.27)
【手続補正１】
【補正対象書類名】特許請求の範囲
【補正対象項目名】全文
【補正方法】変更
【補正の内容】
【特許請求の範囲】
【請求項１】
静磁場を発生する磁石と傾斜磁場コイルとを有する架台と、
パルスシーケンスの制御を実行する処理回路が設けられた計算部と、
前記架台と着脱可能であり、被検体を載置する寝台と、
前記計算部に設けられ、磁気共鳴イメージングに関する検査情報を記憶する記憶回路と、
前記計算部に設けられた第１の通信回路と、
前記寝台に設けられ、前記第１の通信回路と無線通信を行う第２の通信回路と、
前記寝台に設けられ、前記無線通信によって前記第２の通信回路を介して前記計算部から受信された前記検査情報を表示するモニターと、
を具備する磁気共鳴イメージング装置。
【請求項２】
前記第１の通信回路と前記第２の通信回路とは、撮像室の防電磁加工の施されたシールド壁を透過可能な所定の周波数帯チャネルにおいて無線通信を行う請求項１記載の磁気共鳴イメージング装置。
【請求項３】
前記記憶回路は、検査日時と、患者番号と、被検体の性別と、被検体の氏名と、被検体の生年月日と、被検体の身長と、被検体の体重と、検査部位と、挿入方向と、体位と、生体信号同期の有無及び種類と、造影剤使用の有無及び種類とのうち少なくとも一つを、前記検査情報として記憶する請求項１又は２記載の磁気共鳴イメージング装置。
【請求項４】
前記記憶回路は、使用する受信コイルと、前記受信コイルの装着位置とのうち少なくとも一つを、前記検査情報として記憶する請求項１乃至３のうちいずれか１項に記載の磁気共鳴イメージング装置。
【請求項５】
前記記憶回路は、前記磁気共鳴イメージングの撮像進捗情報を前記検査情報として記憶する請求項１乃至４のうちいずれか１項に記載の磁気共鳴イメージング装置。
【請求項６】
静磁場を発生する磁石と傾斜磁場コイルとを有する架台と、
パルスシーケンスの制御を実行する処理回路が設けられた計算部と、
前記架台と着脱可能であり、被検体を載置する寝台と、
前記計算部に設けられ、磁気共鳴イメージングに関する検査情報を記憶する記憶回路と、
前記計算部に設けられた第１の通信回路と、
前記寝台に設けられ、前記第１の通信回路と無線通信を行う第２の通信回路と、
前記寝台に設けられ、前記無線通信によって前記第２の通信回路を介して前記計算部から受信された前記検査情報を表示する第１のモニターと、
前記架台に設けられ、前記無線通信によって前記第１の通信回路を介して受信された前記被検体の生体情報及び前記磁気共鳴イメージングの事前準備にかかる進捗情報のうち少なくとも一方を表示する第２のモニターを更に具備する請求項１乃至３のうちいずれか一項記載の磁気共鳴イメージング装置。
【請求項７】
前記寝台に設けられ、前記寝台に載置された前記被検体より前記生体情報を取得する生体情報取得回路を、更に具備する請求項６記載の磁気共鳴イメージング装置。
【請求項８】
前記寝台に設けられた投光器を更に具備する請求項６又は７記載の磁気共鳴イメージング装置。
【手続補正２】
【補正対象書類名】明細書
【補正対象項目名】０００９
【補正方法】変更
【補正の内容】
【０００９】
実施形態に係る磁気共鳴イメージング装置は、架台と、計算部と、寝台と、記憶回路と、第１の通信回路と、第２の通信回路と、モニターと、を具備する。架台は、静磁場を発生する磁石と傾斜磁場コイルとを有する。計算部は、パルスシーケンスの制御を実行する処理回路を有する。寝台は、架台と着脱可能であり、被検体を載置する。記憶回路は、計算部に設けられ、磁気共鳴イメージングに関する検査情報を記憶する。第１の通信回路は、計算部に設けられる。第２の通信回路は、寝台に設けられ、第１の通信回路と無線通信を行う。モニターは、寝台に設けられ、無線通信によって第２の通信回路を介して計算部から受信された検査情報を表示する。